(57)【特許請求の範囲】
【請求項１】
前面を透明パネルで覆われるとともに奥面を壁面で覆われた商品展示室を設け、該商品展示室に複数の商品サンプルを並設して展示する自動販売機のディスプレイ装置において、該商品サンプルの後方に、販売商品の冷却（コールド商品）・加温（ホット商品）状態を表す表示内容が記載されたスクリーンと該スクリーンを前記商品サンプルの並設方向に沿って引き出し及び巻き取り可能な巻取装置とを備えた表示装置と、該表示装置のスクリーンを引き出した状態で係止する表示装置係止手段を備え、前記表示装置係止手段は前記表示装置及び前記壁面にそれぞれ形成されるとともに相互に係合・離脱可能であって、かつ、前記壁面の表示装置係止手段は前記商品サンプルの並設方向に沿って複数形成されてなり、前記壁面に形成された複数の表示装置係止手段に対して前記表示装置の表示装置係止手段を着脱させることにより前記スクリーンを複数の引き出し長さ位置に係止可能としたことを特徴とする自動販売機のディスプレイ装置。
【請求項２】
前記表示装置は一つの巻取装置と前記スクリーンの先端に設けられた係止部材からなり、前記巻取装置と係止部材にそれぞれ表示装置係止手段を有することを特徴とする請求項1に記載の自動販売機のディスプレイ装置。
【請求項３】
前記表示装置は前記スクリーンの両側に当該スクリーンを前記商品サンプルの並設方向に沿って引き出し及び巻き取り可能な巻取装置を備えてなり、前記各巻取装置にそれぞれ表示装置係止手段を有することを特徴とする請求項１に記載の自動販売機のディスプレイ装置。
【請求項４】
前記巻取装置及び係止部の表示装置係止手段は背面方向に突出する平面視Ｔ字状の突出部であり、前記壁面の表示装置係止手段は前記Ｔ字状突出部が係合・離脱する凸字状穴であることを特徴とする請求項１乃至請求項３の何れかに記載の自動販売機のディスプレイ装置。
【請求項５】
前記巻取装置から引き出されたスクリーンを巻き取り方向に付勢する付勢手段を備えたことを特徴とする請求項１乃至請求項４の何れかに記載の自動販売機のディスプレイ装置。
【発明の詳細な説明】
【０００１】
【発明の属する技術分野】
本発明は、販売商品の商品サンプルを展示すると共に、販売商品の冷却・加温状態等の表示を、前記商品サンプルに対応して掲示する自動販売機のディスプレイ装置に関する。
【０００２】
【従来の技術】
従来、販売商品の商品サンプルを展示すると共にこのような販売商品の冷却・加温状態を掲示する自動販売機のディスプレイ装置としては、例えば本願の出願人が先に提案した特開平５−２９０２５３号公報に記載されているようなものが知られている。
【０００３】
このような従来の自動販売機においては、庫内に収納された商品に対応して前面扉のディスプレイ室に商品サンプルが配列され、該商品サンプルに対応する商品選択ボタンが前面扉の前面に配設される。また、庫内を複数の商品収納室に仕切り、各商品収納室ごとに収納商品をホット商品あるいはコールド商品として販売する。そして、前記商品サンプルに対応して、その商品の販売状態等をアピールするために、例えばホット商品、コールド商品等の内容を表示する表示パネルが、前記商品サンプルの後方に配設されている。
【０００４】
ここで、前記表示パネルは、季節の変化による商品の販売状態の変更等に応じて表示内容を異なるものに取り替え、表示に変化を持たせて顧客の関心を引くことにより販売促進を図ることを目的とするものである。
【０００５】
【発明が解決しようとする課題】
ところで、このような従来のディスプレイ装置において表示パネルを変更する場合は、当然のことながら既に掲示されている表示パネルを取り外して、新しい表示内容の表示パネルに取り替える必要がある。また、表示効果を損なわないために、色あせや汚れたものに対する交換用の表示パネルを常に用意して置く必要がある。さらに、複数の商品サンプルに対して一括して一個の表示パネルを掲示する場合は、その都度に商品サンプルの数に応じて各々表示パネルの幅を調整して作成することが必要である。
【０００６】
このため、従来においては多数の表示パネルを用意すると共に、再び掲示する場合に備え使用しない表示パネルを保管する保管場所を確保する必要があり、これらの保守管理が煩雑であった。
【０００７】
そこで、本発明はホット商品、コールド商品等の表示内容の変更を容易に行うと共に、これらを表示する表示装置の保守管理を容易にする自動販売機のディスプレイ装置を提供することを目的とする。
【０００８】
【課題を解決するための手段】
上記課題を解決するため、請求項１にかかる発明は、前面を透明パネルで覆われるとともに奥面を壁面で覆われた商品展示室を設け、該商品展示室に複数の商品サンプルを並設して展示する自動販売機のディスプレイ装置において、該商品サンプルの後方に、販売商品の冷却（コールド商品）・加温（ホット商品）状態を表す表示内容が記載されたスクリーンと該スクリーンを前記商品サンプルの並設方向に沿って引き出し及び巻き取り可能な巻取装置とを備えた表示装置と、該表示装置のスクリーンを引き出した状態で係止する表示装置係止手段を備え、前記表示装置係止手段は前記表示装置及び前記壁面にそれぞれ形成されるとともに相互に係合・離脱可能であって、かつ、前記壁面の表示装置係止手段は前記商品サンプルの並設方向に沿って複数形成されてなり、前記壁面に形成された複数の表示装置係止手段に対して前記表示装置の表示装置係止手段を着脱させることにより前記スクリーンを複数の引き出し長さ位置に係止可能としたことを特徴とする。
【０００９】
請求項２にかかる発明は、請求項１に記載の発明において、前記表示装置は一つの巻取装置と前記スクリーンの先端に設けられた係止部材からなり、前記巻取装置と係止部材にそれぞれ表示装置係止手段を有することを特徴とする。
【００１０】
請求項３にかかる発明は、請求項１に記載の発明において、前記表示装置は前記スクリーンの両側に当該スクリーンを前記商品サンプルの並設方向に沿って引き出し及び巻き取り可能な巻取装置を備えてなり、前記各巻取装置にそれぞれ表示装置係止手段を有することを特徴とする。
【００１１】
請求項４にかかる発明は、請求項１乃至請求項３の何れかに記載の発明において、前記巻取装置及び係止部の表示装置係止手段は背面方向に突出する平面視Ｔ字状の突出部であり、前記壁面の表示装置係止手段は前記Ｔ字状突出部が係合・離脱する凸字状穴であることを特徴とする。
【００１２】
請求項５にかかる発明は、請求項１乃至請求項４の何れかに記載の発明において、前記巻取装置から引き出されたスクリーンを巻き取り方向に付勢する付勢手段を備えたことによって、前記スクリーンを弛みや皺がなく平らかに掲示することができる。
【００１３】
【発明の実施の形態】
本発明の実施の形態を図を参照して説明する。
【００１４】
図１は、本発明の実施形態を示す自動販売機１の正面図である。図に示すように自動販売機１の前面に設けられた前面扉２は、扉本体３と、前面を透明パネル４で覆われた商品展示室５と、販売商品を選択する商品選択ボタン６と、販売商品を取り出す商品取出口７と、硬貨を投入する硬貨投入口８と、紙幣を挿入する紙幣挿入口９と、投入金額等を表示する表示器１０と、硬貨を返却指示する返却レバー１１と、硬貨を返却する硬貨返却口１２と、前面扉を開閉する開閉ラッチ１３と、鍵部１４等から構成されている。そして、商品展示室５には、本発明の実施例の表示装置１７、２９が配設されている。
【００１５】
図２は本発明の実施形態を示す商品展示室５の平面断面図、図３は本発明の実施形態を示す商品展示室５の側面断面図を示す。商品展示室５は、図に示すように前面を覆う透明パネル４と、商品サンプル１５と、商品サンプル１５を展示する展示台１６と、商品サンプル１５の後部に配設される表示装置１７と、表示装置１７を係止する係止板（壁面）１８等から構成される。
【００１６】
図４は本発明の実施例を示す表示装置１７の斜視図である。表示装置１７は、図に示すように販売商品の冷却・加温状態等が記載されたスクリーン１９と、スクリーン１９を任意の長さに引き出し及び巻取り可能な巻取装置２０と、スクリーン１９の先端に設けられたスクリーン係止部材２１から構成される。そして巻取装置２０はスクリーン１９を巻き取る図示しない軸心を上端部２０ａ、下端部２０ｂで回転可能に軸支すると共に、スクリーン１９を巻き取る方向に軸心を常に回転付勢するコイルバネや発条バネ等の図示しない付勢手段が、前記軸心内部あるいは巻取装置２０内部に構成されている。さらに巻取装置２０およびスクリーン係止部材２１の背部には、係止板１８にこれらを係止するための断面が略Ｔ字状の突出部（表示装置係止手段）２３が図5に示すように設けられている。そして、巻取装置２０を係止する係止板１８には、この突出部２３に対応して凸字状穴（表示装置係止手段）２４が各々のサンプル商品１７の両側後方にそれぞれ配設されている。なお、図示しないが突出部２３、およびこれに対応する凸字状穴２４は上下方向にそれぞれ2個所配設されている。
【００１７】
かかる構成において、商品サンプル１５の後方に配置される表示装置１７のスクリーン１９の位置や幅を変更するときは、まず巻取装置２０およびスクリーン係止部材２１の背面に構成される突出部２３を係止板１８の凸字状穴２４から取り外し、巻取装置２０の突出部２３を新たに表示対象とする商品サンプル１５の内の最も左側の商品サンプル１５の左側後方に配設される凸字状穴２４に係止する。このとき、突出部２３の頭部に形成される平坦部２３ａを凸字状穴２４上部に形成される幅広の角穴部２４ａに挿入してから下方に引き下げることにより、凸字状穴２４下部に形成される幅狭の溝部２４ｂに突出部２３の平坦部２３ａを係止することができる。次に、スクリーン係止部材２１の突出部２３を、同様に対象とする商品サンプル１５の内の最も右側の商品サンプル１５の右側後方に配設される凸字状穴２４に係止する。ここで、巻取装置２０はスクリーン１９を引き出し及び巻き取り可能であって、常に巻取り方向に付勢している。このため、スクリーン１９は商品サンプル１５の数に応じて引き出し長さを容易に調整可能で、また、弛みや皺がなく容易に掲示することができる。このようにして、その都度に、例えば冷却状態または加温状態にある商品のサンプル数に応じてスクリーン１９の幅を簡単に調整して掲示することができる。
【００１８】
図６は本発明の他の実施例を示す表示装置２９の斜視図である。この表示装置２９は、図に示すように販売商品の冷却・加温状態等が記載されたスクリーン１９と、スクリーン１９の一方端に設けられスクリーン１９を引き出し及び巻き取り可能であって、スクリーン１９を常に巻取り方向に付勢する巻取装置２６と、スクリーン１９の他方端に設けられスクリーン１９を引き出し及び巻き取り可能であって、引き出されたスクリーン１９の引き出し及び巻き取りを規制する図示しない規制手段を備えた巻取装置２７から構成される。ここで巻取装置２６は巻取装置２０と同様に構成される。そして、巻取装置２７は、スクリーン１９を巻き取り及び巻き戻しする図示しない軸心を上端部２７ａ、下端部２７ｂで回転可能に軸支すると共に、軸心の回転を切換操作部２８の切換によって規制する規制手段が設けられている。さらに巻取装置２６および巻取装置２７の背部には、係止板１８にこれらを係止するための断面が略Ｔ字状の突出部２３が巻取装置２０と同様に設けられている。
【００１９】
このように構成される表示装置２９を商品サンプル１５の後方に掲示する場合は、まずスクリーン１９上の表示対象とする領域の右側端部が巻取装置２７の正面の位置になるようにスクリーン１９の巻き取り及び巻き戻しを行い、続いて切換操作部２８を矢印Ｓの方向に切換えて（スクリーン１９の巻き取り及び巻き戻しを行う場合は切換操作部２８を矢印Ｒの方向に切換える）巻取装置２７の軸心の回転を規制し、スクリーン１９の右端掲示位置を固定する。そして表示対象とする商品サンプル１５の内の最も右側の商品サンプル１５の右側後方に配設される凸字状穴２４に、巻取装置２７の突出部２３を係止して固定する。次に、巻取装置２６の突出部２３を同様に対象とする商品サンプル１５の内の最も左側の商品サンプル１５の左側後方に配設される凸字状穴２４に係止する。ここでスクリーン１９は、巻取装置２７の規制手段によって右端掲示位置が規制され、かつ巻取装置２６によって常に巻き取り方向に付勢されるので、弛みや皺が無く販売商品の冷却・加温状態等を掲示することができる。このようにしてスクリーン１９上の表示対象とする領域を、例えば商品の加温状態を表示する部分または冷却状態を表示する部分の何れかに選定し、なおかつ商品サンプル数に応じてスクリーン１９の引き出し長さを容易に調整して掲示することが可能である。
【００２０】
ところで、スクリーン１９を巻き取る図示しない前記軸心は各々の巻取装置２０、２６、２７に係脱自在に配設され、スクリーン１９の表裏面を反転して巻き取り及び巻き戻し可能であることが望ましい。そして例えば、スクリーン１９の一方の面に商品が冷却状態にあることを示す表示内容の異なる複数の領域を印刷し、他方の面に商品が加温状態にあることを示す表示内容の異なる複数の領域を印刷して、スクリーン１９の表裏面の反転表示を可能とすることにより、商品の販売状態等をより多彩に表示することが可能である。
【００２１】
【発明の効果】
以上説明したように請求項１に係る発明によれば、スクリーンを引き出して表示可能な表示装置を備えたディスプレイ装置を提供することによって、表示装置の保守管理を容易にすることが可能になる。また、表示装置を壁面に着脱可能とするとともにスクリーンの引き出し長さを変えて壁面に係止可能としたことから季節の変化による商品の販売状態（ホット商品あるいはコールド商品）の変更等に応じて商品展示室に並設して展示された複数の商品サンプルの冷却・加温状態を表示装置の位置若しくはスクリーンの引き出し長さを変更することにより表示することが可能である。
【００２２】
請求項２に係る発明によれば、スクリーンを商品サンプルの並設方向に沿って引き出し及び巻き取る巻取装置が一つだけであるので置表示装置の構成を簡単にすることが可能である。
【００２３】
請求項３に係る発明によれば、スクリーンの両端に巻取装置が設けられていることによりスクリーン上に冷却・加温状態を表す領域を左右に分割して表示しておけば当該冷却・加温状態を表す領域の何れかを選定して冷却状態若しくは加温状態を表示することが可能である。
【００２４】
請求項４に係る発明によれば、表示装置はスクリーンの引き出し長さを容易に変更して壁面に係止可能なディスプレイ装置を提供することによって、表示装置の取り扱いを容易にすることができる。
【００２５】
請求項５に係る発明によれば、スクリーンを弛みや皺がなく平らかに掲示することができることによって、スクリーン上に記載された表示内容を常に一様な見易い状態で掲示することができる。
【図面の簡単な説明】
【図１】  本発明の実施形態を示す自動販売機の正面図である。
【図２】  本発明の実施形態を示す自動販売機の商品展示室の平面断面図である。
【図３】  本発明の実施形態を示す自動販売機の商品展示室の側面断面図である。
【図４】  本発明の実施例を示す表示装置の斜視図である。
【図５】  本発明の巻取装置の背面に設けられる突出部、及び突出部を係止する凸字状穴を示す斜視図である。
【図６】  本発明の他の実施例を示す表示装置の斜視図である。
【符号の説明】
１  自動販売機
４  透明パネル
５  商品展示室
１５  商品サンプル
１７  表示装置
１８  係止板（壁面）
１９  スクリーン
２０  巻取装置
２１  スクリーン係止部材
２３  突出部（表示装置係止手段）
２４  凸字状穴（表示装置係止手段）
２６  巻取装置
２７  巻取装置
２９  表示装置
【図１】
0004366889.tif 000002
【図２】
0004366889.tif 000003
【図３】
0004366889.tif 000004
【図４】
0004366889.tif 000005
【図５】
0004366889.tif 000006
【図６】
0004366889.tif 000007